(57)【要約】【課題】粘着テープを用いることなく閉止可能であり、さらに天面板と側面板の隙間から物品や手を挿入することができない紙箱を提案するものである。【解決手段】前面板５と、前面板から折罫線を介して順次連設された右側面板６、後面板７、左側面板８を有し、それぞれから折罫線を介して連設された底面部材群17によって底面が構成され、前面板には、折罫線を介して前天面板９が連設され、後面板には、折罫線を介して後天面板10が連設され、左右側面板には、折罫線を介してそれぞれ左右内フラップ１１,１２が連設されており、左右内フラップの中央部に設けられたスリット１３に、前天面板の先端部の差込片１４、１５を差し込み、後天面板の中央部に設けられた差込片１６を前天面板の下に差し込むことにより、天面が閉止され、前後天面板の合わせ目に伝票２３を貼付することにより封緘されることを特徴とする紙箱である。【選択図】図１
2018172137.tif 000002
【特許請求の範囲】
【請求項１】
矩形状の前面板と、該前面板から折罫線を介して順次連設された右側面板、後面板、左側面板を有し、
前記前面板、右側面板、後面板、左側面板から折罫線を介して連設された底面部材群によって底面が構成され、
前記前面板には、折罫線を介して前天面板が連設され、前記後面板には、折罫線を介して後天面板が連設され、前記左右側面板には、折罫線を介してそれぞれ左右内フラップが連設されており、
該左右内フラップの中央部に設けられたスリットに、前記前天面板の先端部の左右に折罫線を介して設けられた差込片を差し込み、前記後天面板の中央部に設けられた差込片を前記前天面板および左右内フラップの下に差し込むことにより、天面が閉止され、
前後天面板の合わせ目に粘着式の伝票を貼付することにより封緘される構造であることを特徴とする紙箱。
【請求項２】
前記後天面板の中央部に設けられた差込片の付け根の部分に、円弧状の山折罫線を設けたことを特徴とする請求項１に記載の紙箱。
【請求項３】
前記左右内フラップの中央部に設けられたスリットは、前記前天面板の先端部の左右に折罫線を介して設けられた差込片が差し込まれる部分を除いて、左右内フラップの先端部に向かって幅が広がっていることを特徴とする請求項１または２に記載の紙箱。
【請求項４】
前面板の上部中央部を開封開始点とし、前天面板の左右差込片の付け根に向かってＶ字状に広がる開封用ミシン目線を有することを特徴とする請求項１〜３のいずれか１項に記載の紙箱。
【発明の詳細な説明】
【技術分野】
【０００１】
本発明は、内容物を収納した後、箱の表面に送り状などの伝票を貼り付けて発送するための紙箱に関し、特に簡単な操作で組立、閉止が可能で、さらに粘着テープ等で封緘する手間を省き、伝票を貼り付けるだけで封緘できる梱包用紙箱に関する。
【背景技術】
【０００２】
近年、小口の貨物便が発達し、日々大量の貨物便が流通している。その多くは、段ボール製の紙箱に内容物を収納し、箱の蓋を粘着テープ等で封緘し、さらに送り状などの伝票を貼り付けた形式のものが用いられている。
【０００３】
段ボール箱の最も一般的な構造としては、開口部において左右から内フラップが折られ、この左右内フラップの上に、前後の外フラップが被さり、箱の中心線において前後の外フラップが突き付けられる構造が一般的である。このような箱の封緘は、前後の外フラップの合わせ目に粘着テープを貼ることで行われる。
【０００４】
この構造は、ブランク形状が単純であり、製造が容易なことから広く用いられているが、いくつかの欠点がある。その一つとしては、箱を上から見たときに、正方形であれば問題ないが、横長の長方形の箱の場合、左右の内フラップの長さが不足し、隙間があいてしまうという問題がある。長方形の箱において左右のフラップが届くように十分な長さにしようとすると、用紙の無駄が大きくなるため、一般には採用されていない。
【０００５】
左右の内フラップの長さが短いと、箱を閉じた時に内フラップが箱の中に垂れ下がり易くなるため、外フラップの隙間から物を挿入したり、手を差し込んで開封したりすることが容易に行い得る。このため、このような構造の箱にあっては、外フラップを閉じた後で、外フラップの合わせ目をホッチキスで止めたり、合わせ目に粘着テープを貼ったりする以外に、安全を期すために外フラップの左右両サイドも粘着テープで固定するという非常に煩雑な手間が掛かっていた。
【０００６】
特許文献１に記載された梱包箱は、上記の問題を解決するためになされたものであり、粘着テープ等を用いることなく閉止でき、また手で開梱することができる梱包箱である。
【０００７】
特許文献１に記載された梱包箱は、底板を中心として、前板、後板、右側板、左側板をそれぞれ連設し、左右側板の両側から前後内側係止フラップを連設し、前後板からは、それぞれ前天板、後天板を連設し、天面において後天板に設けた閉止スリットに前天板に設けた閉止爪を差し込んでロックすることにより、粘着テープ等を用いることなく天面部を閉止することができるようにしたものである。
【先行技術文献】
【特許文献】
【０００８】
【特許文献１】特開２０１４−１０１１４４号公報
【発明の概要】
【発明が解決しようとする課題】
【０００９】
特許文献１に記載された梱包箱は、天面部については、後天板に設けた閉止スリットに、前天板に設けた閉止爪を差し込んでロックすることによって閉止することができるものの、左右側板に連設された左右のフラップについては、従来の段ボール箱と何ら変わらない単純な形状のフラップである。このため、天面と側面との間には従来の段ボールと同様に広い隙間があり、ここからシート状の物品を挿入したり、あるいは手を入れてこじ開けたりされる余地を残している。
【００１０】
本発明の解決しようとする課題は、開口部の側面部に粘着テープを用いることなく極めて簡単な操作で閉止可能であり、さらに天面板と側面板の隙間から物品や手を挿入することができない紙箱を提案するものである。
【課題を解決するための手段】
【００１１】
上記の課題を解決するための手段として、請求項１に記載の発明は、矩形状の前面板と、該前面板から折罫線を介して順次連設された右側面板、後面板、左側面板を有し、前記前面板、右側面板、後面板、左側面板から折罫線を介して連設された底面部材群によって底面が構成され、前記前面板には、折罫線を介して前天面板が連設され、前記後面板には、折罫線を介して後天面板が連設され、前記左右側面板には、折罫線を介してそれぞれ左右内フラップが連設されており、該左右内フラップの中央部に設けられたスリットに、前記前天面板の先端部の左右に折罫線を介して設けられた差込片を差し込み、前記後天面板の中央部に設けられた差込片を前記前天面板および左右内フラップの下に差し込むことにより、天面が閉止され、前後天面板の合わせ目に粘着式の伝票を貼付することにより、封緘される構造であることを特徴とする紙箱である。
【００１２】
本発明に係る紙箱は、開口部である天面部の構造を、左右内フラップの中央部に設けたスリットに前天面板の先端に設けた差込片を差し込み、さらに後天面板の中央部に設けた差込片を前天面板および左右フラップの下に差し込むことによって天面を閉止する構造を採用したことにより、天面の閉止が容易である。
【００１３】
また、請求項２に記載の発明は、前記後天面板の中央部に設けられた差込片の付け根の部分に、円弧状の山折罫線を設けたことを特徴とする請求項１に記載の紙箱である。
【００１４】
また、請求項３に記載の発明は、前記左右内フラップの中央部に設けられたスリットが、前記前天面板の先端部の左右に折罫線を介して設けられた差込片が差し込まれる部分を除いて、左右内フラップの先端部に向かって幅が広がっていることを特徴とする請求項１または２に記載の紙箱である。
【００１５】
また、請求項４に記載の発明は、前面板の上部中央部を開封開始点とし、前天面板の左右差込片の付け根に向かってＶ字状に広がる開封用ミシン目線を有することを特徴とする請求項１〜３のいずれか１項に記載の紙箱である。
【発明の効果】
【００１６】
本発明に係る紙箱は、天面を開口部とし、左右側面板から連設された左右内フラップの上に、前面板から連設された前天面板と、後面板から連設された後天面板が被さる構造である。前天面板の左右先端に設けた差込片を左右内フラップの中央部に設けたスリットに差し込み、さらに後天面板の中央部先端に設けた差込片を前天面板および左右内フラップの下に差し込んで固定する構造であるため、箱の閉止が容易であり、さらに天面の中央部の前後天面板の合わせ目に粘着式の送り状伝票を貼付することにより、開口部が封止され、伝票を除去しない限り開封することができなくなる。このため、セキュリティの面でも優れている。
【００１７】
また、前天面板の左右先端に設けた差込片が左右内フラップの中央部に設けたスリットに差し込まれることにより、左右内フラップの箱内部への垂れ下がりが防止されると共に、天面板と内フラップの間の隙間に物や手が入り難いという効果を発揮する。
【００１８】
請求項２に記載の発明のように、後天面板の中央部に設けられた差込片の付け根の部分に、円弧状の山折罫線を設けた場合には、差込片を手で持って差し込む時に、差込片が下に凸の形状に湾曲するため、差込片を差し込み易くなる。また閉止後の天面の平面性が向上するため送り状等の伝票がより強固に接着される。
【００１９】
請求項３に記載の発明のように、左右内フラップの中央部に設けられたスリットが、前天面板の先端部の左右に折罫線を介して設けられた差込片が差し込まれる部分を除いて、左右内フラップの先端部に向かって幅が広がっている場合には、後天面板の中央部に設けられた差込片を前天面板および左右内フラップの下に差し込む時に、隙間が広くなるために、差込片をより差し込み易くなる。
【００２０】
また、請求項４に記載の発明のように、前面板の上部中央部を開封開始点とし、前天面板の左右差込片の付け根に向かってＶ字状に広がる開封用ミシン目線を有する場合には、開封操作が簡単になり、ワンタッチで開封できる。また開封と同時に送り状等の伝票も同時に除去できるため、極めて効率が良い。
【図面の簡単な説明】
【００２１】
【図１】図１は、本発明に係る紙箱の一実施態様におけるブランクの平面模式図である。
【図２】図２は、図１のブランクを製函した紙箱を折畳んだ状態を示した斜視説明図である。
【図３】図３は、図２の状態から底面を組み立てて箱を引き起こした状態を示した斜視説明図である。
【図４】図４は、図３の状態から左右内フラップを閉じた状態を示した斜視説明図である。
【図５】図５は、図４の状態から前天面板の先端の差込片を左右内フラップのスリットに差し込んだ状態を示した斜視説明図である。
【図６】図６は、図５の状態から後天面板の差込片を前天面板の下に差し込んで、紙箱を閉止した状態を示した斜視説明図である。
【図７】図７は、図６の状態から送り状伝票を所定の位置に貼付して紙箱を封緘した状態を示した斜視説明図である。
【発明を実施するための形態】
【００２２】
以下、図面を参照しながら、本発明に係る紙箱について詳細に説明する。図１は、本発明に係る紙箱１の一実施態様におけるブランク４の平面模式図であり、ブランクを箱の表面側から見た状態を示している。図中一点鎖線は、山折罫線を、点線は谷折罫線を示している。また図２〜図７は、図１のブランクを製函した紙箱を折畳んだ状態から組み立てて最終的に封緘した状態までの一連の過程を示した斜視説明図である。
【００２３】
本発明に係る紙箱１は、矩形状の前面板５と、前面板５から折罫線を介して順次連設された右側面板６、後面板７、左側面板８を有する。前面板５、右側面板６、後面板７、左側面板８から折罫線を介して連設された底面部材群１７によって底面が構成されている。
【００２４】
底面３の構造については、特に限定されるものではないが、図１のブランクに示された例のように、ワンタッチで組み上げられるワンタッチ底や所謂地獄底などのように、ホチキスや粘着テープを用いないで簡単に組み上げられる構造が好ましい。
【００２５】
前面板５には、折罫線を介して前天面板９が連設され、後面板７には、折罫線を介して後天面板１０が連設され、右側面板６、左側面板８には、折罫線を介してそれぞれ右内フラップ１１、左内フラップ１２が連設されている。
【００２６】
左右内フラップの中央部に設けられたスリット１３に、前天面板９の先端部の左右に折罫線を介して設けられた差込片１４、１５を差し込み、後天面板１０の中央部に設けられた差込片１６を前天面板９および左右内フラップ１１、１２の下に差し込むことにより、天面２が閉止される。
【００２７】
この時、前天面板９の先端中央部には、挿入された差込片１６を上から押さえつけるように、突起２５を設けておくと良い。
【００２８】
閉止された天面２の前後天面板の合わせ目に、粘着式の送り状伝票を貼付することにより、開口部である天面は完全に封緘されるので、天面と側面板との隙間に粘着テープ等を貼る必要が無く、非常に効率的である。
【００２９】
天面２の送り状を貼付する位置には、正しい位置が分かるように、図６に示したように、伝票貼り付け位置マーク２１を予め印刷しておいても良い。
【００３０】
なお、図１は、ブランクを紙箱の表面側から見た状態を示しており、一点鎖線は山折罫線を、また点線は谷折罫線をそれぞれ示している。この例では、糊代２２は、左側面板８に接着され、底面部材群１７のうち、谷折罫線で区分された三角形の部分が隣合う底面部材に接着される。
【００３１】
本発明に係る紙箱１においては、左右内フラップ１２、１１の中央部にスリット１３を設け、このスリット１３に前天面板９の先端に折罫線を介して設けた左右の差込片１４、１５を差し込んで固定するようにしたことが重要なポイントである。
【００３２】
差込片１４、１５には、外側に張り出し部２４が設けてあり、この張り出し部２４がスリットの行き止まり部分に引っ掛かって係止するようになっている。このため、差込片は一旦スリットに差し込まれると簡単には抜けない構造になっている。
【００３３】
このことにより、左右の内フラップは、箱の内部に垂れ下がることなく水平に保持されると共に、天面板と内フラップの隙間から物品を挿入することが出来なくなっている。
【００３４】
後天面板１０の中央部に設けられた差込片１６の付け根の部分に、円弧状の山折罫線１８を設けることにより、差込片１６を前天面板９の下に挿入する際に、差込片１６が下に凸に反り易くなる。このため挿入が円滑に行われる。
【００３５】
また、差込片１６が挿入された後も、この円弧状の山折罫線１８が少し折れた状態に留まるため、天面２の平面性が向上する。この事は、前後天面板の合わせ目に、粘着式の送り状等の伝票を貼付する際に、より強固に接着できることを意味している。
【００３６】
なお、円弧の形状としては、円弧の頂点と円弧の始点（終点）の距離が２０〜３０ｍｍ程度が好ましい。
【００３７】
図１に示した例では、右内フラップ１１、左内フラップ１２の中央部に設けられたスリット１３は、前天面板９の先端部の右左に折罫線を介して設けられた差込片１４、１５が差し込まれる部分を除いて、左右内フラップの先端部に向かって幅が広がっている。
【００３８】
このようにすることにより、後天面板１０の中央部に設けられた差込片１６を前天面板９および左右内フラップ１２、１１の下に差し込む際に、隙間が広くなるため、操作がやり易くなる。
【００３９】
また図１に示した例では、前面板５の上部中央部を開封開始点２０とし、前天面板９の左右差込片１５、１４の付け根に向かってＶ字状に広がる開封用ミシン目線１９が設けられている。
【００４０】
このようなミシン目線を設けたことにより、紙箱を開封する際に、開封開始点２０を始点としてワンタッチで開封することができる。またこの際に天面に貼られている送り状伝票も同時に除去されるため、極めて効率的である。
【００４１】
本発明に係る紙箱に使用する材料としては、箱の大きさや内容物の重量に応じて、所定のフルート規格のダンボール紙を始めとして各種厚紙等を使用することができる。
【符号の説明】
【００４２】
１・・・紙箱
２・・・天面
３・・・底面
４・・・ブランク
５・・・前面板
６・・・右側面板
７・・・後面板
８・・・左側面板
９・・・前天面板
１０・・・後天面板
１１・・・右内フラップ
１２・・・左内フラップ
１３・・・スリット
１４・・・差込片（右）
１５・・・差込片（左）
１６・・・差込片（中央）
１７・・・底面部材群
１８・・・円弧状の山折罫線
１９・・・開封用ミシン目線
２０・・・開封開始点
２１・・・伝票貼り付け位置マーク
２２・・・糊代
２３・・・伝票
２４・・・張り出し部
２５・・・突起
【図１】
2018172137.tif 000003
【図２】
2018172137.tif 000004
【図３】
2018172137.tif 000005
【図４】
2018172137.tif 000006
【図５】
2018172137.tif 000007
【図６】
2018172137.tif 000008
【図７】
2018172137.tif 000009